(57)【要約】【課題】ワイヤハーネス分岐部に少ない工数で正確にプロテクタを装着する。【解決手段】プロテクタ２０は、Ｔ字状筒体を半割りした一対のＴ字状半円環部からなる本体部２３とカバー部２４を薄肉ヒンジ部２９を介して連結してなる。セット用治具４０は、断面円弧形状で上面開口の本体用凹部４３を設けた本体受部４１と、該本体用凹部４３の一側縁より上向きに突出する押圧壁４５を備え、該押圧壁４５に、プロテクタ２０の開いた状態のカバー部２４を引っかけて載置すると共に本体部２３を本体用凹部４３の上方に位置させてセットし、本体部２３にワイヤハーネスのＴ字状分岐部を挿入して本体用凹部４３側へと落とし込むことにより、カバー部２４が押圧壁４５に押されて本体部２３側へ回転し、本体部２３のロック爪３２ａ、３３ａがカバー部２４の被ロック部３２ｂ、３３ｂに挿入係止されて、本体部２３とカバー部２４とをロック閉鎖する。【選択図】図５
2007306761.tif 000002
【特許請求の範囲】
【請求項１】
ワイヤハーネスの幹線から支線が分岐するＴ字状分岐部に、幹線外装用の横筒部と支線外装用の縦筒部とを備えたＴ字状筒体からなるプロテクタを外装する方法であって、
前記プロテクタは、前記Ｔ字状筒体を半割りした一対のＴ字状半円環部からなる本体部とカバー部とを備え、該本体部とカバー部とは横筒半円環部の外側分割端を薄肉ヒンジ部を介して連結し、該薄肉ヒンジ部を支点としてカバー部を本体部に被せて、本体部とカバー部の横筒半円環部の対向する開閉端をロック結合すると共に、縦筒半円環部の対向する開閉端もロック結合するものであり、
断面円弧形状で上面開口の本体用凹部を設けると共に、該本体用凹部の一側縁より上向きに突出する押圧壁を備えたセット用治具上に、前記プロテクタの開いた状態のカバー部を前記押圧壁の上端部に引っかけて載置すると共に本体部を前記本体用凹部の上方に位置させてセットし、
前記プロテクタの本体部にワイヤハーネスの幹線と支線を挿入して本体用凹部側へと落とし込むと、前記押圧壁がカバー部を押圧して該カバー部が本体側へと回転し、本体部に設けたロック部をカバー部に設けた被ロック部に係止して、前記横筒部の開閉端および縦筒部の開閉端をロックできることを特徴とするワイヤハーネス分岐部へのプロテクタの外装方法。
【請求項２】
前記ワイヤハーネスのＴ字状分岐部を構成する前記幹線の両側および支線は夫々予めコルゲートチューブに通しており、前記プロテクタの本体部およびカバー部の内周面には、前記コルゲートチューブの谷部に嵌合するリブが突設され、前記プロテクタでコルゲートチューブを位置決め保持して取り付けている請求項１に記載のプロテクタの外装方法。
【請求項３】
前記プロテクタの薄肉ヒンジ部は、本体部とカバー部とを連結する連結片と、本体部とカバー部とを開いて円弧部を下向きに突出させた状態で、上向きに逆Ｖ形状に突出して前記本体部とカバー部とを開き方向に付勢する付勢片とを備え、
前記付勢片は、前記押圧壁によるカバー部の押圧により下向きに突出するＶ形状に変位し、この変位でカバー部を本体側へと付勢して閉鎖方向に回転させている請求項１または請求項２に記載のワイヤハーネス分岐部へのプロテクタの外装方法。
【請求項４】
前記セット用治具は、前記本体用凹部を設けた本体受部と、断面視円弧形状で上面開口のカバー用凹部を設けたカバー受部を、平行に、かつ、本体用凹部よりもカバー用凹部が上段に位置するように配置してなり、
前記本体用凹部とカバー用凹部は、それぞれ前記本体部と前記カバー部の形状に対応させて平面視Ｔ字形状とし、
前記カバー受部は、前記本体受部側端で、前記押圧壁を介して本体受部と連結しているとともに、他端側は、下方に脚部を突設し、該脚部と前記押圧壁とで水平に支持される構成としている請求項１乃至請求項３のいずれか１項に記載のワイヤハーネス分岐部へのプロテクタの外装方法。
【請求項５】
請求項１乃至請求項４のいずれか１項に記載の外装方法によりプロテクタが外装されているワイヤハーネスの分岐構造。
【発明の詳細な説明】
【技術分野】
【０００１】
本発明は、ワイヤハーネス分岐部へのプロテクタの外装方法およびワイヤハーネスの分岐構造に関し、特に、コルゲートチューブに夫々挿通された幹線と支線とのＴ字状の分岐岐部にＴ字状のプロテクタを簡単に取り付けるものである。
【背景技術】
【０００２】
自動車に配索されるワイヤハーネスは、所要位置で幹線から支線が分岐され、車両に設置されている各電気機器に接続される。このようなワイヤハーネス分岐部には、従来より、分岐位置を固定するために、および、幹線および支線をコルゲートチューブに通して集束保護している場合には分岐位置においてコルゲートチューブから露出する電線群を保護するために、分岐部用のプロテクタが用いられている。
従来、ワイヤハーネスは電線群はテープ巻きしてを集束している場合が多いが、テープ巻きは熟練を有すると共に作業手数がかかることより樹脂製のコルゲートチューブ内に電線群を通して集束している場合が多い。このようにコルゲートチューブを用いると、幹線から支線が分岐するＴ字状の分岐位置では、分岐位置の両側の幹線を夫々通す両側のコルゲートチューブ端と支線を通すコルゲートチューブ端に挟まれた分岐部では電線群が露出することとなる。よって、この分岐部に露出する電線群を外装するためにＴ字状分岐部にはプロテクタを取り付けることが必要となる。
【０００３】
この種のプロテクタとしては、例えば、図９に示すようなＴ字状分岐部用のプロテクタ１が知られている。該プロテクタ１は、Ｔ字管を半割りしてヒンジ部２を介して連結した左右一対の半割り体３、４から構成され、半割り体３、４は、それぞれ幹線部３ａ、４ａと分岐線部３ｂ、４ｂからなり、幹線部３ａ、４ａの両端部と分岐線部３ｂ、４ｂの先端部の内周には、コルゲートチューブの谷部に嵌合する複数のリブ５を備えている。また、幹線部３ａ、４ａの開閉端には、相対向する位置に係止爪６ａと被係止部６ｂを設け、分岐線部３ｂ、４ｂの開閉端にも、相対向する位置に係止爪７ａ、と被係止部７ｂを設け、左右の半割り体３、４を閉じて重ね合わせたときに互いにロック結合している。（特開平９−２９４３２０号公報参照）
【０００４】
しかしながら、前記のようなプロテクタは、半割り体３、４を人の手で折り返し、閉鎖してロックするという工程を要し、取付工数が多いうえ、熟練の技を必要とする点に問題があった。
【０００５】
【特許文献１】特開平９−２９４３２０号公報
【発明の開示】
【発明が解決しようとする課題】
【０００６】
本発明は前記問題に鑑みてなされたもので、取付工数が少なく、作業が簡単で作業者の熟練を必要としないワイヤハーネス分岐部へのプロテクタの外装方法を提供することを主たる課題としている。
また、特に、ワイヤハーネスがコルゲートチューブを通して集束保護している場合に好適に適用できるプロテクタの外装方法を提供することを従たる課題としている。
【課題を解決するための手段】
【０００７】
前記課題を解決するために、本発明は、ワイヤハーネスの幹線から支線が分岐するＴ字状分岐部に、幹線外装用の横筒部と支線外装用の縦筒部とを備えたＴ字状筒体からなるプロテクタを外装する方法であって、
前記プロテクタは、前記Ｔ字状筒体を半割りした一対のＴ字状半円環部からなる本体部とカバー部とを備え、該本体部とカバー部とは横筒半円環部の外側分割端を薄肉ヒンジ部を介して連結し、該薄肉ヒンジ部を支点としてカバー部を本体部に被せて、本体部とカバー部の横筒半円環部の対向する開閉端をロック結合すると共に、縦筒半円環部の対向する開閉端もロック結合するものであり、
断面円弧形状で上面開口の本体用凹部を設けると共に、該本体用凹部の一側縁より上向きに突出する押圧壁を備えたセット用治具上に、前記プロテクタの開いた状態のカバー部を前記押圧壁の上端部に引っかけて載置すると共に本体部を前記本体用凹部の上方に位置させてセットし、
前記プロテクタの本体部にワイヤハーネスの幹線と支線を挿入して本体用凹部側へと落とし込むと、前記押圧壁がカバー部を押圧して該カバー部が本体側へと回転し、本体部に設けたロック部をカバー部に設けた被ロック部に係止して、前記横筒部の開閉端および縦筒部の開閉端をロックできることを特徴とするワイヤハーネス分岐部へのプロテクタの外装方法を提供している。
【０００８】
このように前記セット用治具を用いると、作業者は、プロテクタの本体部にワイヤハーネスの幹線と支線を正確に位置あわせして配置するだけで、同時にカバー部を本体部に被せてロック結合する作業まで完了するため、取付工数を減らすことができ、作業性が向上する。
また、従来であれば、プロテクタの本体部にワイヤハーネスの分岐部を正確に配置した状態を維持しながら、手でカバー部を本体部に被せ、かつ、ロックしなければならなかったため、熟練の技を必要としたが、前記セット用治具を用いると、ワンタッチ取付が可能となり、作業を簡易化できるため、初心者でも正確かつ迅速な取り付けが可能となる。
【０００９】
前記ワイヤハーネスのＴ字状分岐部を構成する前記幹線の両側および支線は夫々予めコルゲートチューブに通しており、前記プロテクタの本体部およびカバー部の内周面には、前記コルゲートチューブの谷部に嵌合するリブが突設され、前記プロテクタでコルゲートチューブを位置決め保持して取り付けている。
【００１０】
前記したように、ワイヤハーネスの幹線および支線をコルゲートチューブに通して集束および保護している場合が多く、このように幹線および支線をコルゲートチューブに通したワイヤハーネスのＴ字状分岐部に露出する電線群を保護するために前記プロテクを取り付けている。
この場合、前記のように、プロテクタの本体部およびカバー部の内周面には、前記コルゲートチューブの谷部に嵌合するリブを突設しておき、プロテクタの本体部のリブの間にワイヤハーネスの幹線と支線を通したコルゲートチューブの谷部の半周側を正確に位置あわせしておくと、カバーのリブの間に前記コルゲートチューブの谷部の他半周側も自動的に正確に嵌合させることができ、プロテクタでコルゲートチューブを位置決め保持することができる。
【００１１】
なお、ワイヤハーネスの幹線および支線をコルゲートチューブに通している場合に限らず、幹線および支線を丸チューブに通して集束保護してＴ字状分岐位置で電線群が露出している場合、ワイヤハーネスの幹線および支線をテープ巻して集束保護しているがＴ字状分岐位置で電線群が露出している場合、さらに、電線群をテープやチューブに通していないが、Ｔ字状分岐位置を位置決めしたい場合等においても、前記プロテクタをワイヤハーネスのＴ字状分岐部に前記方法で取り付けることができる。
【００１２】
前記プロテクタの薄肉ヒンジ部は、本体部とカバー部とを連結する連結片と、本体部とカバー部とを開いて円弧部を下向きに突出させた状態で、上向きに逆Ｖ形状に突出して前記本体部とカバー部とを開き方向に付勢する付勢片とを備え、
前記付勢片は、前記押圧壁によるカバー部の押圧により下向きに突出するＶ形状に変位し、この変位でカバー部を本体側へと付勢して閉鎖方向に回転させている。
【００１３】
前記ヒンジ構造とすることにより、プロテクタの本体部にワイヤハーネスを挿入するときに、カバー部が開いた状態を安定的に保持できるため、挿入作業性がよい。
また、カバー部を本体部に被せるときは、カバー部に対して閉鎖方向へ少しの力を加えるだけで自動的に閉鎖方向へ回転するため、やはり作業性がよい。
【００１４】
前記セット用治具は、前記本体用凹部を設けた本体受部と、断面視円弧形状で上面開口のカバー用凹部を設けたカバー受部を、平行に、かつ、本体用凹部よりもカバー用凹部が上段に位置するように配置してなり、
前記本体用凹部とカバー用凹部は、それぞれ前記本体部と前記カバー部の形状に対応させて平面視Ｔ字形状とし、
前記カバー受部は、前記本体受部側端で、前記押圧壁を介して本体受部と連結しているとともに、他端側は、下方に脚部を突設し、該脚部と前記押圧壁とで水平に支持される構成としている。
【００１５】
このセット用治具を用いると、押圧壁の上端部にカバー部を載置するときに、該カバー部を前記カバー用凹部に嵌め込むことができるため、プロテクタのグラツキが減り、安定感が増すため、本体部へのワイヤハーネスの挿入作業性も向上する。
【００１６】
さらに、本発明は、前記外装方法によりプロテクタが外装されているワイヤハーネスの分岐構造も提供している。
特に、ワイヤハーネスの幹線および支線は予めコルゲートチューブに通し、これらコルゲートチューブに挟まれて電線群が露出したＴ字状分岐部に前記プロテクタを取り付けた際、コルゲートチューブの谷部がプロテクタのリブの間に嵌合保持され、コルゲートチューブがプロテクタから抜けはずれることを防止できる。
【発明の効果】
【００１７】
上述したように、本発明によれば、ワイヤハーネス分岐部に、少ない工数で容易かつ正確にプロテクタを取り付けることができるため、プロテクタ取付工程に熟練の技が不要となり、作業性を向上できる。
特に、ワイヤハーネスの電線群をコルゲートチューブに通して集束保護している場合、Ｔ字状分岐位置において幹線両側のコルゲートチューブと支線側のコルゲートチューブの間で露出する分岐位置の電線群を前記プロテクタにより簡単に被覆保護することが出来る。
【００１８】
また、変位する付勢片を薄肉ヒンジ部に設けることにより、カバー部を開いてワイヤハーネス挿入作業を行う工程では、カバー部を開き方向に付勢して、開いた状態を安定的に保持でき、カバー部を閉じる工程では、閉鎖方向にカバー部を付勢して自動的に閉鎖することができ、これらの点からも作業性を向上できる。
【発明を実施するための最良の形態】
【００１９】
以下、本発明の実施形態を図面を参照して説明する。
いずれの実施形態においても、ワイヤハーネスの幹線Ｗ１および支線Ｗ２の電線群をコルゲートチューブに通し、幹線Ｗ１から支線Ｗ２がＴ字状に分岐しているＴ字状分岐部に対して本発明を適用している。
【００２０】
また、図１に示すように、前記分岐部を挟んで幹線Ｗ１の両側の電線群１０Ａ、１０Ｂには、コルゲートチューブ１２Ａ、１２Ｂを外装していると共に、支線Ｗ２の電線群１０Ｃにもコルゲートチューブ１２Ｃを分岐部根元まで外装しているが、分岐部中央は、これら３方のコルゲートチューブ１２Ａ〜１２Ｃの分断部であり、該コルゲートチューブ１２Ａ〜１２Ｃで外装されていない電線露出部１５となっている。
【００２１】
前記コルゲートチューブ１２Ａ〜１２Ｃは合成樹脂製で、谷部１３と山部１４とが軸線方向に交互に設けられて屈曲性を備えている。
【００２２】
図１乃至図６は本発明の第一実施形態を示し、ワイヤハーネスの前記Ｔ字状分岐部へのプロテクタ２０の外装方法および該外装方法によりプロテクタ２０が外装されているワイヤハーネスの分岐構造を示している。
【００２３】
前記プロテクタ２０は、図１および図２に示すように、前記幹線Ｗ１に外装する横筒部２１と、前記支線Ｗ２に外装する縦筒部２２とを備えたＴ字状筒体を半割りした、一対のＴ字状半円環部からなる本体部２３とカバー部２４とを、薄肉ヒンジ部２９を介して開閉可能に連結してなる。
詳しくは、該薄肉ヒンジ部２９は、図２に示すように、前記本体部２３の横筒半円環部２５の外側分割端２５ａと、前記カバー部２４の横筒半円環部２６の外側分割端２６ａとを連結し、該薄肉ヒンジ部２９を支点としてカバー部２４を回動し本体部２３に被せることにより、図２に示すように、前記横筒部２１と前記縦筒部２２が形成される。
【００２４】
前記薄肉ヒンジ部２９は、前記横筒半円環部２５、２６の長手方向両端部に設けられている。いずれの薄肉ヒンジ部２９も、図３（Ａ）（Ｂ）に示すように、本体部２３とカバー部２４とを連結する複数の連結片３０と、本体部２３とカバー部２４とを開き方向あるいは閉鎖方向に付勢する複数の付勢片３１とを、横筒半円環部２５、２６の長手方向に交互に配置してなる。
【００２５】
前記連結片３０は、本体部２３とカバー部２４とを開いて円弧部を下向きに突出させた状態で下向きにＶ形状に突出し、該Ｖ形状のままカバー部２４の開閉に伴って屈伸する。
前記付勢片３１は、図３（Ａ）に示すように、本体部２３とカバー部２４とを開いて円弧部を下向きに突出させた状態で、上向きに逆Ｖ形状に突出して前記本体部とカバー部とを開き方向に付勢すると共に、カバー部２４が閉鎖方向に一定以上回動すると、図３（Ｂ）に示すように、下向きに突出するＶ形状に変位し、この変位でカバー部２４を本体側へと付勢して閉鎖方向に回転させる。
【００２６】
前記本体部２３の前記横筒半円環部２５の開閉端２５ｂにはロック爪３２ａを設け、前記カバー部２４の前記横筒半円環部２６の開閉端２６ｂには、前記ロック爪３２ａに対向する位置に被ロック部３２ｂを設けている。
また、本体部２３の前記縦筒半円環部２７の両側開閉端２７ａ、２７ｂにはロック爪３３ａを設け、カバー部２４の前記縦筒半円環部２８の両側開閉端２８ａ、２８ｂには、前記ロック爪３３ａに対向する位置に被ロック部３３ｂを設けている。
【００２７】
前記本体部２３とカバー部２４の内周面には、横筒半円環部２５、２６の長手方向両端部と、縦筒部２７、２８の先端部には、前記コルゲートチューブ１２Ａ〜１２Ｃの谷部１３に嵌合する複数のリブ３４、３５をそれぞれ突設している。
【００２８】
前記プロテクタ２０をワイヤハーネス分岐部に取り付けるときは、図４に示すセット用治具４０を用いる。
該セット用治具４０は、開いた状態の前記プロテクタ２０の本体部２３およびカバー部２４に対応させて、本体受部４１とカバー受部４２とを備えている。該本体受部４１とカバー受部４２の上面には、それぞれ断面視円弧形状、かつ平面視Ｔ字形状で、上面開口の本体用凹部４３とカバー用凹部４４とを設け、これら凹部４３、４４の間を後述する押圧壁４５で仕切っている。
【００２９】
前記カバー受部４２は、Ｔ字形状のカバー用凹部４４の三方の先端部を側壁４６、４７、４８で閉鎖しているが、本体受部４１は、Ｔ字形状の本体用凹部４３の三方の先端部に側壁を設けず開口している。
【００３０】
前記カバー受部４２は、前記カバー用凹部４４が前記本体用凹部４３よりも上方に位置するように、本体受部４１よりも上段に設けられている。詳しくは、カバー受部４２と本体受部４１との段差部に前記押圧壁４５を垂直に配置し、該押圧壁４５を介して本体受部４１とカバー受部４２とを連結しているとともに、カバー受部４２の他端側は、下方に脚部４９を突設し、該脚部４９と前記押圧壁４５とでカバー受部４２を水平に支持する構成としている。前記押圧壁４５は、カバー受部４２の前記側壁４６〜４８よりも低く設定している。
【００３１】
前記セット用治具４０を用いて前記プロテクタ２０をワイヤハーネスの分岐部に外装する作業は、まず、図５（Ａ）に示すように、セット用治具４０のカバー用凹部４４に、開いた状態のプロテクタ２０のカバー部２４を嵌め込む。このとき、カバー用凹部４４と本体用凹部４３とを仕切る押圧壁４５が前述のとおり低く形成されているため、図５（Ｂ）に示すように、カバー部２４のヒンジ２９側一部がカバー用凹部４４から食み出し、垂直上方に突出する押圧壁４５の上端部４５ａにカバー部２４が引っ掛かって載置された状態となる。また、プロテクタ２０の本体部２３は、本体用凹部４３の上方に浮いた状態で配置される。
【００３２】
次に、浮いた状態の前記本体部２３にワイヤハーネスのＴ字状分岐部の幹線Ｗ１と支線Ｗ２を挿入しながら、図６（Ａ）（Ｂ）に示すように、該本体部２３を前記本体用凹部４３に落とし込む。これにより、上段のカバー用凹部４４に載置されていたカバー部２４が、下段の本体用凹部４３に落とし込まれた本体部２３に引っ張られてズリ落ち、その際に、カバー部２４の外面が前記押圧壁４５に閉鎖方向に押される。
【００３３】
このとき、図３（Ｂ）に示すように、薄肉ヒンジ部２９の付勢片３１が変位してカバー部２４を閉鎖方向に付勢し、前記ロック爪３２ａを前記被ロック部３２ｂに挿入係止して前記横筒部２１をロック閉鎖し、前記ロック爪３３ａを前記被ロック部３３ｂに挿入係止して前記縦筒部２２をロック閉鎖する。
また、幹線Ｗ１を外装するコルゲートチューブ１２Ａ、１２Ｂと支線Ｗ２を外装する１２Ｃは、それぞれの谷部１３に、本体部２３の前記リブ３４とカバー部２４の前記リブ３５が嵌合して位置決め保持される。
【００３４】
最後に、ワイヤハーネスをセット用治具４０から取り外すと、図２に示すように、プロテクタ２０が外装されたワイヤハーネスの分岐部が完成する。
【００３５】
このように、前記セット用治具４０を用いることにより、ワイヤハーネス分岐部へのプロテクタ装着作業をワンタッチで、かつ正確に行うことができるため、工数が減り、かつ難しい熟練の技も不要となり、作業性が向上する。
【００３６】
また、薄肉ヒンジ部２９を連結片３０と付勢片３１で構成しているため、プロテクタ２０へのワイヤハーネス分岐部の挿入作業中は、カバー部２４が開き方向に付勢されて開いた状態を安定的に維持でき、また、カバー部２４を閉じるときは、付勢片３１が変位して該カバー部２４を閉鎖方向に付勢するため、作業性がよい。
【００３７】
図７および図８は、本発明の第二実施形態で用いるセット用治具５０を示す。
セット用治具５０は、本体用凹部５２を備えた本体受部５１と押圧壁５３のみからなり、カバー受部を備えていない点で前記第一実施形態におけるセット用治具４０と相違している。
【００３８】
詳しくは、前記セット用治具５０は、本体受部５１の上面に、断面視円弧形状、かつ平面視Ｔ字形状で、上面開口の本体用凹部５２を設け、該本体用凹部５２の横筒凹部５２ａ側の側縁より、該横筒凹部５２ａと平行は押圧壁５３を、外側に傾斜させて斜め上方に突設している。該押圧壁５３は、斜め下方に突出する円弧部５３ｃを長手方向に連続させた断面円弧状としている。
【００３９】
前記構成のセット用治具５０を用いてプロテクタ２０を装着するときは、図８に示すように、前記押圧壁５３の上端部５３ｂに、開いた状態のプロテクタ２０のカバー部２４を引っかけると共に、該押圧壁５３の傾斜上面５３ｃに本体部２３の一部を載置し、該本体部２３を前記本体用凹部５２の上方に浮かせた状態でセットする。
この状態で、本体部２３にワイヤハーネス分岐部を挿入しながら、該本体部２３を本体用凹部５２に落とし込むことにより、カバー部２４が前記押圧壁５３に閉鎖方向に押されて本体部２３上に被さり、ロック閉鎖される。以降の手順は前記第一実施形態と同じである。
【図面の簡単な説明】
【００４０】
【図１】本発明の第一実施形態に係るプロテクタとワイヤハーネス分岐部を示す斜視図である。
【図２】プロテクタを外装したワイヤハーネス分岐部を示す斜視図である。
【図３】図１に示すプロテクタの薄肉ヒンジ部を示す斜視図で、（Ａ）はプロテクタが開いた状態を示し、（Ｂ）はプロテクタを閉鎖するときの状態を示す図である。
【図４】本発明の第一実施形態に係るセット用治具を示す斜視図である。
【図５】図４に示すセット用治具にプロテクタをセットした状態を示し、（Ａ）は斜視図、（Ｂ）は断面説明図である。
【図６】図４に示すセット用治具にセットされたプロテクタをワイヤハーネス分岐部に被せる作業を示し、（Ａ）は概略斜視図、（Ｂ）は断面説明図である。
【図７】本発明の第二実施形態に係るセット用治具を示す斜視図である。
【図８】図７に示すセット用治具にプロテクタをセットした状態を示す断面図である。
【図９】従来例を示す図である。
【符号の説明】
【００４１】
Ｗ１  幹線
Ｗ２  支線
１２Ａ〜１２Ｃ  コルゲートチューブ
２０  プロテクタ
２１  横筒部
２２  縦筒部
２３  本体部
２４  カバー部
２９  薄肉ヒンジ部
３２ａ、３３ａ  ロック爪
３２ｂ、３３ｂ  被ロック部
４０、５０  セット用治具
４３、５２  本体用凹部
４４  カバー用凹部
４５、５３  押圧壁
【図１】
2007306761.tif 000003
【図２】
2007306761.tif 000004
【図３】
2007306761.tif 000005
【図４】
2007306761.tif 000006
【図５】
2007306761.tif 000007
【図６】
2007306761.tif 000008
【図７】
2007306761.tif 000009
【図８】
2007306761.tif 000010
【図９】
2007306761.tif 000011